(57)【特許請求の範囲】
【請求項１】
正面パネル（１０１）を引き出し（１０２）に解放可能に締結するための締結装置（１）であって、
前記正面パネル（１０１）に事前に装着された少なくとも１つの家具接続金具（２）と、
前記引き出し（１０２）に関連付けられた係合装置（１０）であって、前記家具接続金具（２）が押し入れられたときに自動的に前記家具接続金具（２）を保持し、制御輪郭（１２）を有する移動可能な係合要素（１１）を有する、係合装置（１０）と、
前記係合装置（１０）用の係止装置（２０）であって、前記家具接続金具（２）が前記係合装置（１０）から偶発的に解放されることを防止する係止装置（２０）と
を備え、
該締結装置（１）は細長の穴として形成されたガイド通路（３）を有する主要プレート（７３）を有し、前記係止装置（２０）が、前記ガイド通路（３）内で移動可能であり、かつ前記係合要素（１１）の前記制御輪郭（１２）に当接する移動可能な制御本体（４）を有する、
締結装置（１）。
【請求項２】
前記正面パネル（１０１）を、前記引き出し（１０２）の引き出し側壁（１００）に解放可能に締結する請求項１記載の締結装置。
【請求項３】
前記係合要素（１１）が回転軸（Ａ）を中心に枢動可能に装着される、請求項１または２に記載の締結装置。
【請求項４】
前記係合要素（１１）の前記制御輪郭（１２）が、前記係合要素（１１）の回転軸（Ａ）に対して、さまざまな径方向間隔を有する、請求項３に記載の締結装置。
【請求項５】
前記制御本体（４）が、前記ガイド通路（３）内に誘導されながら変位可能に装着される、請求項１から４のいずれか一項に記載の締結装置。
【請求項６】
前記ガイド通路（３）が、湾曲した形状である、請求項５に記載の締結装置。 
【請求項７】
前記制御本体（４）は、
前記ガイド通路（３）内で移動可能な圧力ローラ（５）構造と、
一体型構造と、
ボルト型構造と、
鋼製の構造のうち、少なくとも１つを有するように形成される、請求項１から６のいずれか一項に記載の締結装置。
【請求項８】
前記ガイド通路（３）が、半径が連続的に低減していく、少なくとも部分的に湾曲した形状である、請求項１から７のいずれか一項に記載の締結装置。
【請求項９】
前記家具接続金具（２）用の送り通路（６）を有する、請求項１から８のいずれか一項に記載の締結装置（１）であって、
前記送り通路（６）が直線形状であり、
前記係止装置（２０）が、自動的に、前記送り通路（６）上の少なくとも２つの異なる位置において前記家具接続金具（２）を保持し、偶発的に解放されないようにする、
締結装置。
【請求項１０】
前記係止装置（２０）が、前記送り通路（６）上の任意の位置において少なくとも部分的に前記家具接続金具（２）を保持し、偶発的に解放されないようにする、請求項９に記載の締結装置。
【請求項１１】
前記家具接続金具（２）用の引き入れ装置（３０）を有する、請求項１から１０のいずれか一項に記載の締結装置（１）であって、
前記引き入れ装置（３０）が、ばね（３２）によって荷重がかけられた枢動レバー（３１）を有し、前記枢動レバーは、前記移動可能な制御本体（４）を前記ガイド通路（３）内で変位させ、前記係合要素（１１）を枢動させ、前記家具接続金具（２）をばね荷重（３２）の下で前記引き出し（１０２）に向かって引っ張る、
締結装置。
【請求項１２】
前記係合装置（１０）からの前記家具接続金具（２）の意図的な解放を可能にする前記係合装置（１０）用の係止解除装置（４０）を有する、請求項１から１１のいずれか一項に記載の締結装置（１）であって、
前記係止解除装置（４０）は、前記制御本体（４）を前記係合要素（１１）の前記制御輪郭（１２）から持ち上げ、それによって前記係合要素（１１）および前記家具接続金具（２）を解放する、
締結装置。
【請求項１３】
前記係止解除装置（４０）が、前記係止解除された家具接続金具（２）の取り出しを可能にする取り出し装置（４１）を有し、
前記取り出し装置（４１）が前記係止解除された係合要素（１１）を枢動させ、それによって前記家具接続金具（２）を前記引き出し（１０２）から飛び出させる、
請求項１２に記載の締結装置。
【請求項１４】
前記係止解除装置（４０）が、外部からアクセス可能であり、かつ前記係止解除装置（４０）および／または前記取り出し装置（４１）がそれを通じて作動可能である工具用の工具受け入れ手段（４２）を有する、請求項１３に記載の締結装置。
【請求項１５】
前記締結装置（１）が、前記正面パネル（１０１）用の高さ調整装置（５０）および／または横方向調整装置（６０）を有する、請求項１から１４のいずれか一項に記載の締結装置。
【請求項１６】
前記制御本体（４）と共働する前記制御輪郭（１２）が、前記移動可能な係合要素（１１）上ではなく、前記移動可能に装着された枢動レバー（３１）上に配置される、請求項１１から１５のいずれか一項に記載の締結装置。
【請求項１７】
前記枢動レバー（３１）が、前記締結装置（１）の主要プレート（７３）に回転可能に装着され、
前記締結装置（１）の作動準備ができている状態における前記主要プレート（７３）は、前記締結装置（１）のハウジング（７０）に対して固定式に設けられる、
請求項１１に記載の締結装置。
【請求項１８】
前記枢動レバー（３１）が、前記制御輪郭（１２）に衝突する前記制御本体（４）によって前記係合要素（１１）に少なくとも時折、連結される、請求項１１に記載の締結装置。
【請求項１９】
前記制御本体（４）が、
圧力ローラ（５）の形態であり、
細長の穴の形態の前記ガイド通路（３）内に移動可能に装着され、
細長の穴の形態のガイド（３３）内に移動可能に装着され、
前記圧力ローラ（５）が、前記制御輪郭（１２）に衝突する、
請求項１１から１８のいずれか一項に記載の締結装置。
【請求項２０】
請求項１から１９までのいずれか一項に記載の、正面パネル（１０１）を引き出し（１０２）に解放可能に締結するための少なくとも１つの締結装置（１）を有する引き出し（１０２）。
【請求項２１】
請求項２０に記載の引き出し（１０２）を有する家具製品（１１０）。
【発明の詳細な説明】
【技術分野】
【０００１】
本発明は、正面パネルを引き出しに、特に詳細には、引き出し側壁に解放可能に締結するための締結装置であって、
正面パネルに事前に装着された少なくとも１つの家具接続金具と、
引き出しに関連付けられた係合装置であって、家具接続金具が押し入れられたときに自動的にこれを保持し、制御輪郭を有する移動可能な係合要素を有する、係合装置と、
家具接続金具を係合装置から偶発的に解放することを防止する、係合装置用の係止装置と、
を備える締結装置を対象とする。
【０００２】
本発明はさらに、正面パネルを引き出しに解放可能に締結するための少なくとも１つの上記締結装置を有する引き出し、およびそのような引き出しを１つまたは複数有する家具製品も対象とする。
【背景技術】
【０００３】
正面パネルを引き出しに解放可能に締結するための締結装置は、すでに当技術分野から知られている。この技術における目的は一般に、とりわけ組み立て時間、組み立てコストの両方を低く抑えるために、引き出しへの正面パネルの迅速な取り付けを提供することである。
【０００４】
したがって、たとえば２００９年１月１５日発行の特許文献１は、正面パネルを引き出し側壁に解放可能に、好ましくは調整可能に締結するための締結装置を有する引き出し側壁を示している。家具接続金具は正面パネルに事前に装着され、引き出し側壁内には、ばね負荷式係合要素が配置されており、この係合要素は、家具接続金具が導入されたとき、これを引き出し側壁に向かって自動的に引っ張るものであり、クランプ留め装置の形態で係合要素用の係止装置が設けられている。
【０００５】
１９９８年１１月２５日発行の特許文献２は、引き出しの正面パネルを好ましくは二重壁の引き出し側壁に締結するための装置であって、正面パネルに締結され、そこから突出する家具接続金具と、引き出し側壁に関連付けられ、移動可能な拘束部分を担持し、引き出し側壁の正面の端縁の完全に背後に留まるキャリア部分とを備える装置を示している。家具接続金具をキャリア部分に連結する拘束部分は、ばねによって作動され、傾斜レバーの形態をとる。この傾斜レバーは水平軸を中心に回転可能であり、家具接続金具が押し入れられると、ばね力を受け、自動的に同時にラッチ掛けし、家具接続金具をキャリア部分に向かって引っ張る。傾斜レバーは、ねじ回しなどのための横方向の受け入れ手段を有する。受け入れ手段はこのねじ回しなどを用いて、ばね動作に反して拘束部分を外れて回転可能であり、それによって家具接続金具を解放する。
【０００６】
２０１０年３月２５日発行の特許文献３は、受け入れ要素および少なくとも２つの締結要素を有する、第１の家具部分を第２の家具部分に解放可能に接続するための家具接続金具を開示している。受け入れ要素は第１の家具部分に、少なくとも２つの締結要素は第２の家具部分に関連付けられているか、あるいは受け入れ要素が第２の家具部分に、少なくとも２つの締結要素が第１の家具部分に関連付けられている。受け入れ要素は、少なくとも２つの締結要素を解放可能に保持するための拘束装置を有し、少なくとも２つの締結要素を、一緒に受け入れ要素内に拘束することができる。受け入れ要素の拘束装置は、力蓄積手段、好ましくはばねによって作動される、または作動可能である、かつ締結要素にラッチ掛け可能である、少なくとも２つの拘束要素を有する。
【先行技術文献】
【特許文献】
【０００７】
【特許文献１】国際公開第２００９／００６６５１号
【特許文献２】欧州特許第０７４０９１７Ｂ１号明細書
【特許文献３】独国実用新案第２０２００９０１４８１１Ｕ１号明細書
【発明の概要】
【発明が解決しようとする課題】
【０００８】
本発明の目的は、従来技術に比べて改良された、正面パネルを引き出しに解放可能に締結するための締結装置を提供することである。
【課題を解決するための手段】
【０００９】
この目的は、請求項１の特徴を有する締結装置によって達成される。
【００１０】
制御本体がガイド通路内で移動可能であり、係合要素の制御輪郭に当接することにより、この移動可能な制御本体は、家具接続金具が押し入れられると、たとえば重力によって、ガイド通路内で自動的に移動し、制御輪郭に沿って摺動することができる。よって係止動作は、家具接続金具の反対移動（すなわち家具接続金具を引き抜くこと）が、係合要素を介して、移動可能な制御本体のガイド通路と制御輪郭の間への引っ掛かりをもたらすため、達成可能である。
【００１１】
また、引っ掛かりが生じた後であっても、家具接続金具は依然として締結装置内へとさらに押し入れることができる。すなわち引っ掛かりは、一方向においてのみ行われる。家具接続金具をさらに押し入れることは常に、依然として可能であるが、引き抜くことはできない。これは、移動可能な制御本体が、引き抜きが試みられたときに係合要素の制御輪郭に引っ掛かっているだろうためである。
【００１２】
本発明のさらに有利な実施形態は、添付の特許請求の範囲内で定義される。
【００１３】
係合要素が回転軸を中心に枢動可能に装着されれば、特に有利であることが判明している。係合要素は、押し入れ移動の間、係合要素の回転軸を中心とする枢動移動によって家具接続金具をたどることができる。
【００１４】
好ましい実施形態では、係合要素の制御輪郭が、係合要素の回転軸に対してさまざまな径方向間隔を有するようなすことができる。係合要素の回転軸に対して制御輪郭がさまざまな径方向間隔を有するようになすことにより、家具接続金具の引き入れ方向ではなく、引き抜き方向のみの家具接続金具の係止をもたらすことが可能になる。
【００１５】
さらに好ましくは、制御本体は、好ましくは湾曲した、ガイド通路内に押し込み式に、誘導式に、かつ変位可能に装着されるようになすことができる。
【００１６】
制御本体が、緩い圧力ローラの形態および／または、一体型および／または、実質的にボルト形状および／または、鋼製であれば、特に有利であることが判明している。具体的には、制御本体が緩い圧力ローラの形態であることにより、制御本体はガイド通路内で容易に移動することができ、さらに、緩いローラであるために、ガイド通路内で自動的に自身を移動させることもできる。鋼製の構造であることによって、制御本体に特に好ましい強度をもたらすことができる。一体型およびボルト形状態とすることもまた、生産技術に関して好ましい可能性がある。
【００１７】
特に好ましくは、ガイド通路は半径が、好ましくは連続的に低減していく、少なくとも部分的に湾曲した形状になすことができる。ガイド通路を湾曲した形状にすることによって、家具接続金具との相互作用モードにおいて、締結装置の押し入れ特性および取り出し特性にプラスの影響を与えることが可能である。
【００１８】
この点において、締結装置が家具接続金具用の送り通路を有し、その送り通路が実質的に直線形状であり、係止装置が送り通路上の少なくとも２つの異なる位置において、自動的に家具接続金具を保持し、偶発的に解放されないようにした場合、特に有利であることは判明している。実質的に直線形状の送り通路を設けることにより、家具接続金具を送り通路上に比較的容易に嵌合させ、そこで推し進めることができ、好ましい作動モードに寄与することができる。加えて家具接続金具は、一方ではこの送り通路上で第１の位置において、引き抜き方向に係止されて維持することができ、他方では、さらに押し入れることが可能であり、第２の位置で係止されて維持することができる。
【００１９】
好ましい実施形態では、係止装置は、送り通路上の任意の位置で、少なくとも領域ごとに家具接続金具が偶発的に解放されないようになすことができる。したがって家具接続金具は、締結装置内の家具接続金具の挿入の深さとは無関係に、締結装置内に係止することができる。
【００２０】
締結装置が家具接続金具用の引き入れ装置を有し、引き入れ装置が枢動レバーを有し、この枢動レバーは、ばねによって荷重がかけられており、移動可能な制御本体をガイド通路内で変位させ、係合要素を枢動させ、ばね荷重の下で家具接続金具を引き出しに向かって引っ張るようになした場合、有利になることがさらに判明している。ガイド通路内で移動可能な制御本体を変位させるばね荷重式の枢動レバーを設けることにより、家具接続金具の自動的な後退を、これを引き出しに向かって引き入れることによって達成することが可能になる。
【００２１】
締結装置が、家具接続金具の係合要素からの意図的な解放を可能にする、係合要素用の係止解除装置を有し、係止装置が制御本体を係合要素の制御輪郭から持ち上げ、それによって係合要素および家具接続金具を解放するようになした場合、有利になることが判明している。係止解除装置を設けることにより、家具接続金具を締結装置から再度、係止解除することができ、その後、その締結装置から取り外すことができる。
【００２２】
好ましくは、係止解除装置は、係止解除された家具接続金具の取り出しを可能にする取り出し装置を有し、取り出し装置は、係止解除された係合要素を枢動させ、それによって家具接続金具を引き出しから飛び出させるようなすことができる。係止解除装置が取り出し装置を有するため、家具接続金具を締結装置から引き抜く必要はなく、家具接続金具の締結装置から出る移動は、係止解除装置の取り出し装置によって能動的に行うようなすことができる。
【００２３】
可能性のある実施形態では、係止解除装置は、外部からアクセス可能であり、かつ係止解除装置および／または取り出し装置を、それを通じて作動可能である、工具用の工具受け入れ手段を有するようなすことができる。係止解除装置は、外部からアクセス可能な工具受け入れ手段を設けることによって、容易に作動され得る。
【００２４】
好ましい実施形態では、締結装置が、正面パネル用の高さ調整装置および／または横方向調整装置を有するようなすことができる。正面パネルは、締結装置用の高さ調整装置を設けることによって引き出しに対する高さを調整することができ、一方で、正面パネル用の横方向調整装置を設けることによって、引き出しに対して横方向に配向することができる。
【００２５】
また、上述の実施形態の少なくとも１つに係る、正面パネルを引き出しに解放可能に締結するための少なくとも１つの締結装置を有する引き出しに対しても、保護が請求される。
【００２６】
また、上述のような引き出しを有する家具製品に対する保護もまた、明確に請求される。
【００２７】
本発明のさらなる詳細および利点は、これ以後、例として図に示した実施形態を参照した具体的な説明によって、より十分に説明される。
【図面の簡単な説明】
【００２８】
【図１ａ】引き出し付き家具製品の正面斜視図である。
【図１ｂ】引き出し付き家具製品の後面斜視図である。
【図２ａ】締結装置および家具接続金具を有する引き出し側壁の斜視図である。
【図２ｂ】締結装置の箇所に切り取りのある、引き出し側壁の側面斜視図である。
【図３ａ】ハウジング内における締結装置の側面斜視図である。
【図３ｂ】図３ａと同様の、ハウジング無しの側面斜視図である。
【図４】締結装置の分解斜視図である。
【図５ａ】家具接続金具の挿入および変位中の一段階における締結装置の側面図である。
【図５ｂ】家具接続金具の挿入および変位中の別の段階における締結装置の側面図である。
【図５ｃ】家具接続金具の挿入および変位中の別の段階における締結装置の側面図である。
【図６】家具接続金具が係止され、かつ家具接続金具が完全に押し入れられていない状態の締結装置の側面図である。
【図７】家具接続金具が自動的に引き入れられた状態の締結装置の側面図である。
【図８】係止解除が作動された状態の締結装置の側面図である。
【図９ａ】家具接続金具が係止解除された締結装置の側面図である。
【図９ｂ】家具接続金具が係止解除された締結装置の側面図である。
【図９ｃ】家具接続金具が取り出された締結装置の側面図である。
【図１０】係合要素、枢動レバー、制御本体、および制御輪郭を備えた締結装置の変形形態の側面図である。
【発明を実施するための形態】
【００２９】
図３ａから１０の以下の具体的な説明は、数多くの装置、および複数のそのような装置によって使用される構成要素を有することの多いユニットについて言及する。この好ましい実施形態において説明される、さまざまな装置の構成要素を概説するために、以下のリストを参照されたい。
【００３０】
係合装置１０の作動に必須である、その構成要素は、
係合要素１１と、
係合要素１１の回転軸Ａと、
係合要素１１の受け入れ手段１３と、
送り通路６と、
である。
【００３１】
係止装置２０の作動に必須である、その構成要素は、
制御本体４または圧力ローラ５と、
ガイド通路３と、
制御輪郭１２と、
係合要素１１と、
係合要素１１の回転軸Ａと、
である。
【００３２】
引入れ装置３０の作動に必須である、その構成要素は、
枢動レバー３１と、
枢動レバー３１の回転軸Ｂと、
枢動レバー３１のガイド３３と、
ばね３２と、
推力要素３４と、
制御本体４または圧力ローラ５と、
制御輪郭１２と、
係合要素１１と、
ガイド通路３と、
である。
【００３３】
係止解除装置４０のその作動に必須である構成要素は、
枢動レバー３１の係止解除要素４３と、
枢動レバー３１のガイド３３と、
制御本体４または圧力ローラ５と、
ガイド通路３と、
取り出し装置４１と、
である。
【００３４】
上記の装置１０、２０、３０、および４０はすべて、締結装置１の主要プレート７３上にコンパクトな構造で設けられ、高さ調整装置５０によって垂直方向に、また横方向調整装置６０によって水平方向に、基部プレート７３と共に変位される。
【００３５】
図およびその詳細に関してより具体的に説明してゆく。
【００３６】
図１ａは、家具製品１１０の正面側部斜視図を示している。家具製品１１０は、家具骨組み１０３内に３つの引き出し１０２を有する。引き出し１０２は家具骨組み１０３内に、引き出し延長ガイド１０５上に移動可能に装着され、各引き出しが、２つの引き出し側壁１００、正面パネル１０１、および引き出し後壁１０４を有する。正面パネル１０１は、締結装置１（ここでは図示せず、図２を参照）によって引き出し１０２の２つの側壁１００に固定される。
【００３７】
図１ｂもまた、図１ａに示すような３つの引き出し１０２を備えた家具製品１１０の側部後面斜視図を示している。引き出し側壁１００との接続がなされる手段である２つの家具接続金具２を見ることができるように、正面パネル１０１は、最上部の引き出し１０２にはまだ嵌合されていない。
【００３８】
図２ａは、家具製品１１０（ここでは図示せず、図１ａまたは１ｂを参照）の右引き出し側壁１００の斜視図を示している。正面パネル１０１（ここでは図示せず）用の締結装置１は、引き出し側壁１００内の、この好ましい実施形態では引き出し側壁１００の正面端部に、見ることができる。正面パネル１０１（ここでは図示せず）の家具接続金具２は、図２ｂから明確に見ることができるように、締結装置１内にすでにラッチ掛けされている。
【００３９】
締結装置１は、引き出し側壁１００上ではなく、引き出し１０２の任意の他の部分（図示せず）上にも同じように設けることができることは理解されよう。
【００４０】
図３ａは、締結装置１およびこれに締結される家具接続金具２の側面斜視図を示している。締結装置１は、右側面カバー７１および左側面カバー７２を備えたハウジング７０を有する。左側面カバー７２では、高さ調整装置５０用の調整要素（その高さ調整ねじ５１）、横方向調整装置６０用の調整要素（その横方向調整ねじ６１）、および係止解除装置４０用の調整要素（またはその工具受け入れ手段４２）を見ることが可能である。
【００４１】
図３ｂは、図３ａを参照して説明したような締結装置１の側面斜視図を、左側面カバー７２無しで示している。また、高さ調整装置５０および横方向調整装置６０もここでは示されていない。
【００４２】
この図は、家具接続金具２を送り通路６上に係合させ、家具接続金具２を締結装置１に係止する役割を果たす係合装置１０およびその係合要素１１を明確に示しており、そのために係止装置２０が設けられる（この点に関しては図６の具体的な説明を参照）。
【００４３】
ここでの締結装置１はまた、引き入れ装置３０および係止解除装置４０も有する。
【００４４】
上記の装置１０、２０、３０、および４０ならびにその作動上の移動はすべて、具体的な説明の以下の部分においてより正確な詳細が説明される：
係合装置１０：図５ａ，５ｂおよび５ｃ
係止装置２０：図６
引き入れ装置３０：図７
係止解除装置４０：図８
取り出し作動：図９ａから９ｃ。
【００４５】
図４は、家具接続金具２用の締結装置１の側部後面図としての分解斜視図を示している。右側面カバー７１および左側面カバー７２は、締結装置１用のハウジングとして働く。これら２つの側面カバー７１と７２の間には主要プレート７３が構成され、この主要プレート７３には締結装置１の必須の構成要素が配設される。この主要プレート７３は高さ調整ねじ５１によって、左側面カバー７１および右側面カバー７２に対して高さ調整可能である。
【００４６】
この構成では、主要プレート７３はガイド通路３を有し、このガイド通路３内に、この好ましい実施形態では緩い圧力ローラ５の形態である制御本体４が変位可能に装着される。主要プレート７３はまた、家具接続金具２のピン７用の送り通路６も有する。家具接続金具２のピン７は、送り通路６に沿って締結装置１内に導入される。
【００４７】
安定性の理由から、機能させるために必須である構成要素、つまり係合要素１１および枢動レバー３１は、どちらも２つ同じものを用意し、それぞれ１つずつ、主要プレート７３の左右に設けられる。
【００４８】
係合要素１１および１１’は、家具接続金具２のピン７用の受け入れ手段１３をそれぞれに有する。制御輪郭１２もまた、この好ましい実施形態において係合要素１１および１１’の両方に設けられる。
【００４９】
加えて、係合要素１１上には、家具接続金具２を係止解除するまたは取り出すように働く係止解除レバー１４が設けられる。
【００５０】
枢動レバー３１および３１’上には、この実施形態では細長の穴の形態であるガイド３３が設けられる。枢動レバー３１はさらに取り出し装置４１を有し、この取り出し装置４１が係合要素１１の係止解除レバー１４と共に家具接続金具２の取り出しを実施する。枢動レバー３１または３１’は、工具受け入れ手段４２を有する係止解除要素４３を介して作動される。
【００５１】
２つの枢動レバー３１および３１’は、ばね３２およびその推力要素３４を介してばね荷重を受ける。これは、家具接続金具２の引き入れ移動に必要である（図７の具体的な説明を参照）。
【００５２】
締結装置１はまた、横方向調整ねじ６１を介して横方向に調整することができる。
【００５３】
図５ａから９ｃは、締結装置１および家具接続金具２のさまざまな状況における側方断面図をそれぞれに示している。これらの状況は、家具接続金具２の締結装置１内への挿入（図５ａから５ｃ）、家具接続金具２の締結装置内における係止（図６）、家具接続金具２の締結装置１内における引き入れ（図７）、家具接続金具２の締結装置１内における係止解除（図８）および家具接続金具２の締結装置１からの取り出し（図９ａから９ｃ）を表している。
【００５４】
明瞭に示すため、締結装置１の構成要素のすべてに、図５ａから９内の各図において常に参照番号が与えられているわけではない。しかし、それぞれのステップおよびその参照に極めて重要である構成要素は含まれる。
【００５５】
図５ａは、まだ締結装置１に接続されていない状態の、家具接続金具２およびそのピン７を示している。係合要素１１は、その受け入れ手段１３が家具接続金具２のピン７用の送り通路６にある状態で、待機している。制御本体４または圧力ローラ５は、係合要素１１の制御輪郭１２に当接しない、またはまだ当接していない。
【００５６】
図５ｂは図５ａと同じ状況を示しているが、家具接続金具２のピン７はすでに送り通路６内に嵌合されている。しかし、係合要素１１の回転はまだ行われていない。この理由のため、圧力ローラ５もまた、まだ移動していない。
【００５７】
図５ｃは、家具接続金具２またはそのピン７がすでに中に挿入された状態の締結装置１を示している。この挿入移動は、送り通路６に沿って行われる。この場合、家具接続金具２のピン７は、係合要素１１の受け入れ手段１３内に進入している。この場合、係合要素１１はその回転軸Ａを中心に枢動可能に装着されており、したがってピン７の挿入の結果、係合要素１１の回転軸Ａを中心とする回転移動がもたらされる。この好ましい実施形態では、制御輪郭１２は、係合要素１１上に形成または装着される。係合要素１１のこの制御輪郭１２は、係合要素１１の回転軸Ａに対してさまざまな径方向間隔を含有する。制御本体４は、この好ましい実施形態では圧力ローラの形態であるが、このとき制御輪郭１２にすでに当接している。このとき、家具接続金具２を締結装置１から引き抜くことは依然として可能である。これは、制御本体４は制御輪郭１２にまだ引っ掛かってないからである。制御本体４は、係合要素１１が回転軸Ａ周りで時計回り方向に回転した場合には、ガイド通路３内で「上方向に」依然として逃れることができる。
【００５８】
係合要素１１の係止、およびそれに伴う家具接続金具２の係止は、図６に示す状況においてのみ行われる。家具接続金具２またはそのピン７はこのとき、係止装置２０が作動された程度だけ、送り通路６において締結装置１内へと挿入されている。これは、圧力ローラ５を制御輪郭１２と共にクランプ止めすることによって達成される。家具接続金具２を締結装置１から引き抜く、したがって係合要素１１を、回転軸Ａを中心に時計回り方向に枢動させる試みがなされた場合、圧力ローラ５は、ガイド通路６内で制御輪郭１２に引っ掛かる。家具接続金具２は、こうして引き抜きが防止される。
【００５９】
一方で、係合要素１１を、回転軸Ａを中心に反時計回り方向に移動させることは依然として、十分に可能であり、そうすることによって、好ましくは湾曲したガイド通路３内で、制御本体４のさらなる下方向移動が生ずる。
【００６０】
この点において、枢動レバー３１およびそのガイド３３は、係止装置２０には必要でないことを留意されたい。係合要素１１の係止は、制御輪郭１２、ガイド通路３、および制御本体４のみによって単純に行われる。これは、制御本体４が重力だけでガイド通路３または制御輪郭１２をたどるため、可能である。
【００６１】
このとき、この係止装置２０の優れた利点をここで見ることが可能である。より具体的には、家具接続金具２の係止は、ガイド通路６上の挿入方向の任意の場所において行われる。すなわち係止は、家具接続金具２の締結装置１内への挿入深さとは関係なく起こる。係止が起こった後であっても、家具接続金具２の締結装置１内へのさらなる挿入は可能である。すなわち係止は、引き抜き方向のみに行われ、押し入れ方向には行われない。したがって、さまざまな挿入深さを達成することが可能であり、それによって家具接続金具２または引き出し１０２（図示せず）に関する製造上の公差を修正することも可能である。
【００６２】
この好ましい実施形態では、制御本体４は一体型、かつ実質的にボルト形状である、鋼製の緩い圧力ローラ５の形態である。
【００６３】
ガイド通路３は、好ましくは半径が連続的に低減していく、少なくとも部分的に湾曲した形状である。
【００６４】
次に図７は、引き入れ装置３０がどのように作動可能になるかを示している。家具接続金具２が、係合装置１０またはその係合要素１１内に押し入れられ、送り通路６上で変位された後、図６に示す瞬間では、ばね３２は、もはや枢動レバー３１の回転軸Ｂとの死点位置にはなく、したがってこの枢動レバー３１が、図７に示すように回転軸Ｂを中心に反時計回り方向に枢動される。
【００６５】
この結果、圧力ローラ５または制御本体４は、枢動レバー３１の、細長の穴の形態であるガイド３３内において、下方向にガイド通路３に沿って付勢される。この下方向の圧力は、制御本体４がそのガイド通路３内でばね荷重の下で下方向に移動することを意味し、この場合、係合要素１１上に制御輪郭１２を設けることにより、係合要素１１もまた、その回転軸Ａを中心として反時計回り方向に枢動される。このようにして家具接続金具２は、ローラ−制御輪郭の作動組立体によって締結装置１内にさらに引き入れられる。
【００６６】
引き入れ特性はこのようにして、制御輪郭の適切な形状によって制御することができる（低速または高速での引き入れ移動、加速または減速ありの引き入れ移動）。
【００６７】
この位置では、係止装置２０は再度、またはいつでも依然として作動可能状態にあるが、これは、制御本体４が制御輪郭１２に依然として当接し、係合要素１１を時計回り方向に枢動させる試みがなされた場合、制御輪郭１２に引っ掛かるためである。
【００６８】
締結装置１を再度係止解除するために、係止解除装置４０が設けられる。この係止解除装置の機能は、図８を参照して次に説明される。係止解除は、枢動レバー３１上に設けられた係止解除要素４３を介して手動で行うことができる。枢動レバー３１を時計回り方向に回転させることにより、ガイド３３内の制御本体４が、制御輪郭１２および、それによって係合要素１１から持ち上げられる。このようにして、係合要素１１はもはや妨げられない。
【００６９】
家具接続金具２は、この瞬間すでに締結装置１から引き抜くことができる。しかし、取り出しをよりユーザに優しいものとするために、取り出し装置４１が枢動レバー３１上に設けられる。この取り出し装置４１は、この図ですでに明白であるように、係合要素１１の係止解除レバー１４を押さえ付けることにより、枢動レバー３１が時計回り方向に回転し、これにより係合要素１１の時計回り方向の回転が導かれ、それによって家具接続金具２は、図９ａに示すように締結装置１から取り出される。この点において、制御本体４は、常に係合要素１１の制御輪郭１２から依然として持ち上げられており、家具接続金具２は、すでに締結装置１から離れる方向に移動していることを明確に見ることができる。これは、取り出し装置４１による係止解除レバー１４の変位によって行われる。
【００７０】
万が一この瞬間、作業者が係止解除レバー４３を解放した場合、図７に示すように、家具接続金具２が再度引き入れられる。
【００７１】
その反対に、作業者が、図９に示すように係止解除レバー４３を時計回り方向にさらに回転させた場合、これは、送り通路６上での家具接続金具２のピン７の完全な取り出しを伴う。
【００７２】
作業者はこの位置で、推力要素３４が枢動レバー３１の回転軸Ｂに対する死点位置にある状態にばね３２が配設されており、したがって制御本体４および制御輪郭１２は、ばね荷重下で互いに当接していないため、係止解除要素４３を再度解放することができる。
【００７３】
したがって家具接続金具２は、図９ｃに示すように締結装置１から取り外すことができる。
【００７４】
図１０は、家具接続金具２およびそのピン７が締結装置１内に拘束された状態の締結装置１の別の実施形態を示している。
【００７５】
締結装置１はここでも、上記の高さ調整装置５０および横方向調整装置６０を有する。枢動レバー３１はここでも、締結装置１を係止解除するための工具受け入れ手段２２を有する。
【００７６】
この変形形態では、制御輪郭１２は、前述の実施形態のように係合要素１１上ではなく、枢動レバー３１上に設けられる。しかし制御輪郭１２はこの実施例においても制御本体４と共働するが、この実施形態では、制御本体４は係合要素１１上にある。
【００７７】
したがってこれは、前述の実施形態の逆の運動学を呈する。前述の具体的な説明において参照された考察が、対応して適用される。
【符号の説明】
【００７８】
１  締結装置
２  家具接続金具
３  ガイド通路
４  制御本体
５  圧力ローラ
６  送り通路
７  ピン
１０  係合装置
１１  係合要素
１２  制御輪郭
１３  受け入れ手段
１４  係止解除レバー
２０  係止装置
３０  引き入れ装置
３１  枢動レバー
３２  ばね
３３  ガイド（細長の穴）
３４  推力要素
４０  係止解除装置
４１  取り出し装置
４２  工具受け入れ手段
４３  係止解除要素
５０  高さ調整装置
５１  高さ調整ねじ
６０  横方向調整装置
６１  横方向調整ねじ
７０  ハウジング
７１  右側面カバー
７２  左側面カバー
７３  主要プレート
１００  引き出し側壁
１０１  正面パネル
１０２  引き出し
１０３  家具骨組み
１０４  引き出し後壁
１０５  引き出し延長ガイド
１１０  家具製品
Ａ  係合要素１１の回転軸Ａ
Ｂ  枢動レバー３１の回転軸Ｂ
【図１ａ】
0006038895.tif 000002
【図１ｂ】
0006038895.tif 000003
【図２ａ】
0006038895.tif 000004
【図２ｂ】
0006038895.tif 000005
【図３ａ】
0006038895.tif 000006
【図３ｂ】
0006038895.tif 000007
【図４】
0006038895.tif 000008
【図５ａ】
0006038895.tif 000009
【図５ｂ】
0006038895.tif 000010
【図５ｃ】
0006038895.tif 000011
【図６】
0006038895.tif 000012
【図７】
0006038895.tif 000013
【図８】
0006038895.tif 000014
【図９ａ】
0006038895.tif 000015
【図９ｂ】
0006038895.tif 000016
【図９ｃ】
0006038895.tif 000017
【図１０】
0006038895.tif 000018